(57)【要約】【課題】ハードディスクに記録されたテレビ放送番組を再生する前に、その番組の視聴率なども知ることができるハードディスク装置を提供する。【解決手段】お任せ記録操作によりランダムに選局された番組が、記録開始され、ハードディスクに記録されて行き、予め定めた記録終了条件が成立したとき、当該番組のハードディスクへの記録が停止される。次に、サーバにアクセスして得られた番組に関する情報に基づいて、当該番組に対する番組名と視聴率と興味時刻と再生時間と興味内容とがプレイリストに加えられ、ハードディスクに記録される。記録された後、再生操作がされると、ハードディスクからプレイリストが読み出されディスプレイ装置に表示される。この表示されたプレイリストには、番組名、視聴率、興味時刻、再生時間、興味内容が示されるので、ユーザは話題性のあるテレビ放送番組をリモコン操作により選んで視聴することができる。【選択図】図３
2007288391.tif 000002
【特許請求の範囲】
【請求項１】
テレビ放送番組に関する情報を提供するサーバとインターネットを介して接続可能であり、所望のテレビ放送番組を選局するチューナを備え、選局されたテレビ放送番組をハードディスクに記録させることが可能なハードディスク装置において、
テレビ放送番組を指定時間だけハードディスクに記録させて記録を終了させるか、またはテレビ放送番組をハードディスクの全記録領域に記録させて記録を終了させるかの記録終了条件を設定する記録終了条件設定手段と、
お任せ記録キーの操作に応答して前記チューナをランダムに選局動作させるチューナ制御手段と、
前記チューナがランダムに選局動作されて選局されたテレビ放送番組をハードディスクに記録開始させる記録開始手段と、
前記ハードディスクへのテレビ放送番組が記録開始され、前記記録終了条件が成立したときに、記録を停止させる記録停止手段と、
前記記録が停止された後、前記サーバにおける番組表サイトにアクセスして番組表から前記記録したテレビ放送番組の番組名を解析する番組名解析手段と、
前記サーバにおける視聴率サイトにアクセスして当該テレビ放送番組の視聴率を解析する視聴率解析手段と、
前記記録したテレビ放送番組に関する固有名詞の文字を前記視聴率サイトより検索して、当該固有名詞の文字に対する検索ヒット数を取得する検索ヒット数取得手段と、
前記サーバにおける掲示板のような番組評価サイトにアクセスして、前記固有名詞の文字の書込み増加量と、増加した書込み時の時刻とを取得し、増加量と時刻とに基いて視聴者が興味を覚えた興味時刻を解析する興味時刻解析手段と、
前記記録開始から前記興味時刻になるまでの時間を再生時の再生時間として算出する再生時間算出手段と、
前記番組名と前記視聴率と前記興味時刻と前記再生時間と前記興味時刻における興味内容とをプレイリストに加えてハードディスクに記録させるプレイリスト記録手段と、を有するシステムコントローラを備えたことを特徴とするハードディスク装置。
【請求項２】
テレビ放送番組に関する情報を提供するサーバとインターネットを介して接続可能であり、所望のテレビ放送番組を選局するチューナを備え、選局されたテレビ放送番組をハードディスクに記録させることが可能なハードディスク装置において、
お任せ記録操作によりランダムに選局されたテレビ放送番組をハードディスクに記録開始させ、予め定めた記録終了条件が成立したときに記録を停止させ、記録が停止された後、前記サーバにアクセスして得られた番組に関する情報に基づいて、当該記録されたテレビ放送番組に対する番組名、視聴率、視聴者が興味を覚えた興味時刻を解析し、前記番組名と前記視聴率と前記興味時刻における興味内容とをプレイリストに加えてハードディスクに記録させる制御を行うシステムコントローラを備えたことを特徴とするハードディスク装置。
【請求項３】
前記システムコントローラは、テレビ放送番組を指定時間だけハードディスクに記録させて記録を終了させるか、またはテレビ放送番組をハードディスクの全記録領域に記録させて記録を終了させるかの記録終了条件を設定する記録終了条件設定手段と、お任せ記録キーの操作に応答して前記チューナをランダムに選局動作させるチューナ制御手段と、前記チューナがランダムに選局動作されて選局されたテレビ放送番組をハードディスクに記録開始させる記録開始手段と、前記ハードディスクへのテレビ放送番組が記録開始され、前記記録終了条件が成立したときに、記録を停止させる記録停止手段と、前記記録が停止された後、前記サーバにおける番組表サイトにアクセスして番組表から前記記録したテレビ放送番組の番組名を解析する番組名解析手段と、前記サーバにおける視聴率サイトにアクセスして当該テレビ放送番組の視聴率を解析する視聴率解析手段と、前記記録したテレビ放送番組に関する固有名詞の文字を前記視聴率サイトより検索して、当該固有名詞の文字に対する検索ヒット数を取得する検索ヒット数取得手段と、前記サーバにおける掲示板のような番組評価サイトにアクセスして、前記固有名詞の文字の書込み増加量と、増加した書込み時の時刻とを取得し、増加量と時刻とに基いて視聴者が興味を覚えた興味時刻を解析する興味時刻解析手段と、前記番組名と前記視聴率と前記興味時刻における興味内容とをプレイリストに加えてハードディスクに記録させるプレイリスト記録手段と、を有することを特徴とする請求項２に記載のハードディスク装置。
【請求項４】
前記システムコントローラは、前記記録開始から前記興味時刻になるまでの時間を再生時の再生時間として算出する再生時間算出手段を更に有し、前記プレイリスト記録手段は、前記再生時間をもプレイリストに加えてハードディスクに記録させる手段を有することを特徴とする請求項３に記載のハードディスク装置。
【請求項５】
前記プレイリスト記録手段は、前記興味時刻をもプレイリストに加えてハードディスクに記録させる手段を有することを特徴とする請求項３に記載のハードディスク装置。
【発明の詳細な説明】
【技術分野】
【０００１】
本発明は、テレビ放送番組に関する情報を提供するサーバとインターネットを介して接続可能であり、所望のテレビ放送番組を選局するチューナを備え、選局されたテレビ放送番組をハードディスクに記録させることが可能なハードディスク装置に関し、特に、話題性のあるテレビ放送番組を選択して再生できる機能を有するハードディスク装置に関する。
【背景技術】
【０００２】
近年、デジタル通信技術の発展に伴って、テレビ放送では、従来からのアナログ放送に加えて、ＢＳおよびＣＳの衛星によるデジタル放送、有線によるデジタル放送、インターネットなどによるセットワーク放送、および地上波デジタル放送が普及してきている。この結果、テレビ放送は、多チャンネル化が進み、テレビ受信機や記録再生機器などのＡＶ機器においては、ユーザが視聴目的や好みに合ったテレビ放送番組を探し出し、視聴したいテレビ放送番組を選択するためには、放送信号と共に送られてくる番組サービス情報から構成される電子プログラムガイド（ＥＰＧ）だけでは、困難になりつつある。以下、電子プログラムガイド（ＥＰＧ）を単に番組表と呼ぶことにする。
【０００３】
視聴したいテレビ放送番組を選択するのに、番組表だけでは困難であるため、ＡＶ機器における視聴支援機能や操作支援機能を拡張する目的で、ＡＶ機器では、ユーザの操作を補助するユーザ補助機能を搭載し、ユーザの目的や、趣味、好みに合ったテレビ放送番組を推奨する機能が搭載されつつある。また、ＡＶ機器に搭載されたユーザ補助機能については、製品コストや処理能力の問題から、使用できるリソースにも限界があって、その能力自体に限界があるため、ＡＶ機器をインターネットなどのネットワークを介して番組情報を提供するサーバと接続し、これにより、ＡＶ機器は、サーバから豊富な番組関連付加情報を得て、ユーザの目的や、趣味、好みに合ったテレビ放送番組を推奨することができるようになってきている。
【０００４】
ところで、特許文献１に示されるＡＶ機器は、データ処理装置からの視聴率情報を、インターネットを介して受信し、この受信した視聴率情報に含まれる視聴率の値が閾値よりも大きい場合、視聴率情報に含まれる視聴率の値に対応する番組を表示部に表示し、これにより、ユーザは、視聴率の高い番組が分かるので、視聴率の高い番組を適時に視聴したり、記録したりすることを可能にしている。要するに、このＡＶ機器は、各番組の視聴率情報を含むＥＰＧ情報を受信表示することで、高視聴率番組をユーザに通知するようにしている。また、特許文献２に示される受信装置は、番組予想視聴率情報が加味されたＥＰＧを受信表示することにより、予想視聴率高位番組をユーザに選択視聴できるようにしている。
【特許文献１】特開２００５−３４７８０６号公報
【特許文献２】特開２００４−１２９２４５号公報
【発明の開示】
【発明が解決しようとする課題】
【０００５】
しかしながら、特許文献１に示されるＡＶ機器は、各番組の視聴率情報を含むＥＰＧ情報を受信表示することで、高視聴率番組をユーザに通知するようにしているが、ユーザが選択した高視聴率番組を記録した後、当該番組を再生する際、ユーザが当該番組の視聴率を忘れてしまうと、当該番組が、どの位の視聴率であったかを直ぐに知ることができないので、記録した番組を再生する際に、視聴率を見てから再生したい番組を選択することができないと言う課題が生じる。なお、記録した番組の視聴率をインターネットで知ることもできるが、そのための操作が面倒である。
【０００６】
また、特許文献２に示される受信装置は、番組予想視聴率情報が加味されたＥＰＧを受信表示することにより、予想視聴率高位番組をユーザに選択視聴できるようにしているが、この従来技術も前記の従来技術と同様、ユーザが選択した予想視聴率高位番組を記録した後、当該番組を再生する際、ユーザが当該番組の視聴率を忘れてしまうと、当該番組が、どの位の視聴率であったかを直ぐに知ることができず、記録した番組を再生する際に、視聴率などを見てから再生したい番組を選択することができないと言う課題が生じる。
【０００７】
本発明は、上記のような課題を解決するためになされたもので、ハードディスクに記録されたテレビ放送番組を再生する前に、その番組の視聴率なども知ることができるハードディスク装置を提供することを目的とする。
【課題を解決するための手段】
【０００８】
上記目的を達成するために、請求項１の発明は、テレビ放送番組に関する情報を提供するサーバとインターネットを介して接続可能であり、所望のテレビ放送番組を選局するチューナを備え、選局されたテレビ放送番組をハードディスクに記録させることが可能なハードディスク装置において、テレビ放送番組を指定時間だけハードディスクに記録させて記録を終了させるか、またはテレビ放送番組をハードディスクの全記録領域に記録させて記録を終了させるかの記録終了条件を設定する記録終了条件設定手段と、お任せ記録キーの操作に応答して前記チューナをランダムに選局動作させるチューナ制御手段と、前記チューナがランダムに選局動作されて選局されたテレビ放送番組をハードディスクに記録開始させる記録開始手段と、前記ハードディスクへのテレビ放送番組が記録開始され、前記記録終了条件が成立したときに、記録を停止させる記録停止手段と、前記記録が停止された後、前記サーバにおける番組表サイトにアクセスして番組表から前記記録したテレビ放送番組の番組名を解析する番組名解析手段と、前記サーバにおける視聴率サイトにアクセスして当該テレビ放送番組の視聴率を解析する視聴率解析手段と、前記記録したテレビ放送番組に関する固有名詞の文字を前記視聴率サイトより検索して、当該固有名詞の文字に対する検索ヒット数を取得する検索ヒット数取得手段と、前記サーバにおける掲示板のような番組評価サイトにアクセスして、前記固有名詞の文字の書込み増加量と、増加した書込み時の時刻とを取得し、増加量と時刻とに基いて視聴者が興味を覚えた興味時刻を解析する興味時刻解析手段と、前記記録開始から前記興味時刻になるまでの時間を再生時の再生時間として算出する再生時間算出手段と、前記番組名と前記視聴率と前記興味時刻と前記再生時間と前記興味時刻における興味内容とをプレイリストに加えてハードディスクに記録させるプレイリスト記録手段と、を有するシステムコントローラを備えたことを特徴とするハードディスク装置を提供する。
【０００９】
この構成において、先ず、テレビ放送番組を指定時間だけハードディスクに記録させて記録を終了させるか、またはテレビ放送番組をハードディスクの全記録領域に記録させて記録を終了させるかの記録終了条件が記録終了条件設定手段により設定され、この後、お任せ記録キーが押下されると、チューナ制御手段は、チューナをランダムに選局動作させる。そして、記録開始手段は、前記ランダムに選局された番組を記録開始させる。このようにしてランダムに選んだ番組がハードディスクに記録されて行き、前記記録終了条件が成立したとき、記録停止手段は、当該番組のハードディスクへの記録を停止させる。
【００１０】
次に、番組名解析手段は、記録が停止された後、サーバにおける番組表サイトにアクセスして、番組表から当該番組の番組名を解析し、視聴率解析手段は、サーバにおける視聴率サイトにアクセスして、当該番組の視聴率を解析する。この後、興味時刻解析手段は、サーバにおける掲示板のような番組評価サイトにアクセスして、当該番組に関する固有名詞の文字に対する書込み増加量と、増加した書込み時の時刻とを取得し、視聴者が興味を覚えた興味時刻を解析する。その書込みが増加した時の時刻が、多くの視聴者が最も興味を覚えた時刻（興味時刻）になる。
【００１１】
次に、再生時間算出手段は、前記記録開始から前記興味時刻になるまでの時間を再生時の再生時間として算出する。この後、プレイリスト記録手段は、当該テレビ放送番組の番組名と視聴率と興味時刻と再生時刻と興味時刻における興味内容とをプレイリストに加えて、ハードディスクに記録させる。
【００１２】
この構成によれば、お任せ記録（お任せ録画）によりランダムに選局されたテレビ放送番組がハードディスクに記録された後、再生操作がされると、ハードディスクからプレイリストが、読み出され、ディスプレイ装置に表示される。この表示されたプレイリストには、テレビ放送番組の番組名、視聴率、興味時刻、再生時間、および興味内容が示されるので、ユーザは話題性のあるテレビ放送番組をリモコン操作により選んで視聴することができるようになる。また、その話題性のあるテレビ放送番組で、視聴者が興味のあったシーンの内容を興味内容で知ることができる。また、当該番組の放送中に興味内容に示すようなことが生じた時刻を興味時刻で知ることができ、その興味があったシーンを再生するのに、再生時間を用いてタイムサーチなどを行えば、早く興味内容のシーンを再生することができる。
【００１３】
請求項２の発明は、テレビ放送番組に関する情報を提供するサーバとインターネットを介して接続可能であり、所望のテレビ放送番組を選局するチューナを備え、選局されたテレビ放送番組をハードディスクに記録させることが可能なハードディスク装置において、お任せ記録操作によりランダムに選局されたテレビ放送番組をハードディスクに記録開始させ、予め定めた記録終了条件が成立したときに記録を停止させ、記録が停止された後、前記サーバにアクセスして得られた番組に関する情報に基づいて、当該記録されたテレビ放送番組に対する番組名、視聴率、視聴者が興味を覚えた興味時刻を解析し、前記番組名と前記視聴率と前記興味時刻における興味内容とをプレイリストに加えてハードディスクに記録させる制御を行うシステムコントローラを備えたことを特徴とするハードディスク装置を提供する。
【００１４】
この構成において、お任せ記録操作によりランダムに選局された番組が、記録開始され、ハードディスクに記録されて行き、予め定めた記録終了条件が成立したとき、当該番組のハードディスクへの記録が停止される。次に、サーバにアクセスして得られた番組に関する情報に基づいて、当該番組に対する番組名と視聴率と興味時刻における興味内容とがプレイリストに加えられ、ハードディスクに記録される。
【００１５】
この構成によれば、お任せ記録（お任せ録画）によりランダムに選局されたテレビ放送番組がハードディスクに記録された後、再生操作がされると、ハードディスクからプレイリストが読み出されディスプレイ装置に表示される。この表示されたプレイリストには、テレビ放送番組の番組名、視聴率、興味時刻における興味内容が示されるので、ユーザは話題性のあるテレビ放送番組をリモコン操作により選んで視聴することができるようになる。
【００１６】
請求項３の発明では、請求項２の発明において、前記システムコントローラは、テレビ放送番組を指定時間だけハードディスクに記録させて記録を終了させるか、またはテレビ放送番組をハードディスクの全記録領域に記録させて記録を終了させるかの記録終了条件を設定する記録終了条件設定手段と、お任せ記録キーの操作に応答して前記チューナをランダムに選局動作させるチューナ制御手段と、前記チューナがランダムに選局動作されて選局されたテレビ放送番組をハードディスクに記録開始させる記録開始手段と、前記ハードディスクへのテレビ放送番組が記録開始され、前記記録終了条件が成立したときに、記録を停止させる記録停止手段と、前記記録が停止された後、前記サーバにおける番組表サイトにアクセスして番組表から前記記録したテレビ放送番組の番組名を解析する番組名解析手段と、前記サーバにおける視聴率サイトにアクセスして当該テレビ放送番組の視聴率を解析する視聴率解析手段と、前記記録したテレビ放送番組に関する固有名詞の文字を前記視聴率サイトより検索して、当該固有名詞の文字に対する検索ヒット数を取得する検索ヒット数取得手段と、前記サーバにおける掲示板のような番組評価サイトにアクセスして、前記固有名詞の文字の書込み増加量と、増加した書込み時の時刻とを取得し、増加量と時刻とに基いて視聴者が興味を覚えた興味時刻を解析する興味時刻解析手段と、前記番組名と前記視聴率と前記興味時刻における興味内容とをプレイリストに加えてハードディスクに記録させるプレイリスト記録手段とを有する。
【００１７】
したがって、前記システムコントローラは、記録終了条件設定処理、チューナ制御処理、記録開始処理、記録停止処理、番組名解析処理、視聴率解析処理、検索ヒット数取得処理、興味時刻解析処理、およびプレイリスト記録処理を実現でき、これにより、テレビ放送番組の番組名、視聴率、興味時刻における興味内容が記録することが可能になる。
【００１８】
請求項４の発明では、請求項３の発明において、前記システムコントローラは、前記記録開始から前記興味時刻になるまでの時間を再生時の再生時間として算出する再生時間算出手段を更に有し、前記プレイリスト記録手段は、前記再生時間をもプレイリストに加えてハードディスクに記録させる手段を有するので、再生時に興味内容を早く視聴したいときに、再生時間を用いることによりタイムサーチなどを行って、早く興味内容のシーンを再生することができるようになる。
【００１９】
請求項５の発明では、請求項３の発明において、前記プレイリスト記録手段は、前記興味時刻をもプレイリストに加えてハードディスクに記録させる手段を有するので、当該番組の放送中に興味内容に示すようなことが生じた時刻を知ることができる。
【発明の効果】
【００２０】
以上のように本発明によれば、テレビ放送番組に関する情報を提供するサーバとインターネットを介して接続可能であり、所望のテレビ放送番組を選局するチューナを備え、選局されたテレビ放送番組をハードディスクに記録させることが可能なハードディスク装置において、テレビ放送番組を指定時間だけハードディスクに記録させて記録を終了させるか、またはテレビ放送番組をハードディスクの全記録領域に記録させて記録を終了させるかの記録終了条件を設定する記録終了条件設定手段と、お任せ記録キーの操作に応答して前記チューナをランダムに選局動作させるチューナ制御手段と、前記チューナがランダムに選局動作されて選局されたテレビ放送番組をハードディスクに記録開始させる記録開始手段と、前記ハードディスクへのテレビ放送番組が記録開始され、前記記録終了条件が成立したときに、記録を停止させる記録停止手段と、前記記録が停止された後、前記サーバにおける番組表サイトにアクセスして番組表から前記記録したテレビ放送番組の番組名を解析する番組名解析手段と、前記サーバにおける視聴率サイトにアクセスして当該テレビ放送番組の視聴率を解析する視聴率解析手段と、前記記録したテレビ放送番組に関する固有名詞の文字を前記視聴率サイトより検索して、当該固有名詞の文字に対する検索ヒット数を取得する検索ヒット数取得手段と、前記サーバにおける掲示板のような番組評価サイトにアクセスして、前記固有名詞の文字の書込み増加量と、増加した書込み時の時刻とを取得し、増加量と時刻とに基いて視聴者が興味を覚えた興味時刻を解析する興味時刻解析手段と、前記記録開始から前記興味時刻になるまでの時間を再生時の再生時間として算出する再生時間算出手段と、前記番組名と前記視聴率と前記興味時刻と前記再生時間と前記興味時刻における興味内容とをプレイリストに加えてハードディスクに記録させるプレイリスト記録手段と、を有するシステムコントローラを備えたので、お任せ記録（お任せ録画）によりランダムに選局されたテレビ放送番組がハードディスクに記録された後、再生操作がされると、ハードディスクからプレイリストが、読み出され、ディスプレイ装置に表示される。
【００２１】
この表示されたプレイリストには、テレビ放送番組の番組名、視聴率、興味時刻、再生時間、および興味内容が示されるので、ユーザは話題性のあるテレビ放送番組をリモコン操作により選んで視聴することができるようになる。また、その話題性のあるテレビ放送番組で、視聴者が興味のあったシーンの内容を興味内容で知ることができる。また、当該番組の放送中に興味内容に示すようなことが生じた時刻を興味時刻で知ることができ、その興味があったシーンを再生するのに、再生時間を用いてタイムサーチなどを行えば、早く興味内容のシーンを再生することができる。
【００２２】
また、本発明によれば、テレビ放送番組に関する情報を提供するサーバとインターネットを介して接続可能であり、所望のテレビ放送番組を選局するチューナを備え、選局されたテレビ放送番組をハードディスクに記録させることが可能なハードディスク装置において、お任せ記録操作によりランダムに選局されたテレビ放送番組をハードディスクに記録開始させ、予め定めた記録終了条件が成立したときに記録を停止させ、記録が停止された後、前記サーバにアクセスして得られた番組に関する情報に基づいて、当該記録されたテレビ放送番組に対する番組名、視聴率、視聴者が興味を覚えた興味時刻を解析し、前記番組名と前記視聴率と前記興味時刻における興味内容とをプレイリストに加えてハードディスクに記録させる制御を行うシステムコントローラを備えたので、お任せ記録（お任せ録画）によりランダムに選局されたテレビ放送番組がハードディスクに記録された後、再生操作がされると、ハードディスクからプレイリストが読み出されディスプレイ装置に表示される。
【００２３】
この表示されたプレイリストには、テレビ放送番組の番組名、視聴率、興味時刻における興味内容が示されるので、ユーザは話題性のあるテレビ放送番組をリモコン操作により選んで視聴することができるようになる。お任せ記録（お任せ録画）によりランダムに選局されたテレビ放送番組がハードディスクに記録された後、再生操作がされると、ハードディスクからプレイリストが、読み出され、ディスプレイ装置に表示される。したがって、ユーザは話題性のあるテレビ放送番組をリモコン操作により選んで視聴することができるようになる。
【発明を実施するための最良の形態】
【００２４】
以下、添付図面を参照しつつ、本発明の実施の形態について説明する。図１は本発明の一実施形態に係るハードディスク装置の構成を示すブロック図である。
【００２５】
このハードディスク装置Ａは、アンテナ１ａを介してテレビ放送信号を受信して所望の放送局のテレビ放送信号を選局するチューナ１、このチューナ１からの映像音声信号を復調する復調部２、外部から入力されてくる映像音声信号を復調する復調部３、復調部２または復調部３で復調された映像音声信号をＭＰＥＧ方式で圧縮処理する圧縮処理部４、前記圧縮処理された映像音声データをハードディスク（ＨＤ）５ａに記録するＨＤＤ（ハードディスクドライブ）５、およびＨＤＤ５から読み出した映像音声データを元の映像音声データに復元する伸張処理部６を備えている。なお、チューナが２個備えられている構成もあり、このような構成の場合は、後で述べるランダム記録する場合に、一方のチューナでランダム選局するようにすれば、他方のチューナは、通常にリモコンの選局操作により選局動作が可能になる。
【００２６】
また、このハードディスク装置Ａは、前記復元した映像音声データのうち映像データ（システムコントローラ１０からのメッセージデータがある場合はメッセージデータを重畳した映像データ）を表示可能な映像信号に変換してテレビ受信機８のディスプレイ装置８１に供給するＯＳＤ（オンスクリーンディスプレイ）部７、伸長処理部６で復元した映像音声データのうち音声データをデジタル信号からアナログ信号に変換してテレビ受信機８のスピーカ８３に接続された音声出力装置８２に音声信号を供給するＤ／Ａ変換部９、圧縮処理部４による圧縮処理時や伸張処理部６による伸張処理時に映像音声データを一時的に格納するＲＡＭ１５、装置全体の動作を制御するシステムコントローラ１０、このシステムコントローラ１０に各種キー操作信号を入力する本体のキー入力部１１、リモコン１３からの赤外線の各種キー操作信号を受信するキー受信部１２、システムコントローラ１０の処理に必要なプログラムやデータなどが記録されたフラッシュＲＯＭ１４、およびテレビ放送番組に関する情報を提供するサーバＢとインターネット１６を介して通信を行うためのインターフェイス１５を備えている。
【００２７】
システムコントローラ１０は、本実施形態の特徴とする構成要素として、テレビ放送番組を指定時間だけＨＤ５ａに記録させて記録を終了させるか、またはテレビ放送番組をＨＤ５ａの全記録領域に記録させて記録を終了させるかの記録終了条件を設定する記録終了条件設定手段と、リモコン１３のお任せ記録キーの操作に応答してチューナ１をランダムに選局動作させるチューナ制御手段と、チューナ１がランダムに選局動作されて選局されたテレビ放送番組をＨＤ５ａに記録開始させる記録開始手段と、ＨＤ５ａへのテレビ放送番組が記録開始され、前記記録終了条件が成立したときに、記録を停止させる記録停止手段と、前記記録が停止された後、サーバＢにおける番組表サイトにアクセスして番組表から前記記録したテレビ放送番組の番組名を解析する番組名解析手段と、サーバＢにおける視聴率サイトにアクセスして当該テレビ放送番組の視聴率を解析する視聴率解析手段と、前記記録したテレビ放送番組に関する固有名詞の文字を前記視聴率サイトより検索して、当該固有名詞の文字に対する検索ヒット数を取得する検索ヒット数取得手段と、サーバＢにおける掲示板のような番組評価サイトにアクセスして、前記固有名詞の文字の書込み増加量と、増加した書込み時の時刻とを取得し、増加量と時刻とに基いて視聴者が興味を覚えた興味時刻を解析する興味時刻解析手段と、前記記録開始から前記興味時刻になるまでの時間を再生時の再生時間として算出する再生時間算出手段と、前記番組名と前記視聴率と前記興味時刻と前記再生時間と前記興味時刻における興味内容とをプレイリストに加えてＨＤ５ａに記録させるプレイリスト記録手段とを有する。
【００２８】
図２は本実施形態において話題性のあるテレビ放送番組を視聴者に通知するためのプレイリストの情報を作成するための処理を示すフローチャートである。このフローチャートおよび図１を参照して話題性のあるテレビ放送番組を視聴者に通知するためのプレイリストの情報を作成するための処理について説明する。
【００２９】
先ず、テレビ放送番組を指定時間だけＨＤ５ａに記録させて記録を終了させるか、またはテレビ放送番組をＨＤ５ａの全記録領域に記録させて記録を終了させるかの記録終了条件を設定するために、リモコン１３を操作すると、システムコントローラ１０の記録終了条件設定手段は、前記記録終了条件を設定する（ステップＳ１）。この記録終了条件の設定において、例えば、指定時間を３０時間に設定した場合、記録開始から３０時間経過した時に、記録が停止される。また、指定時間を設定せずに、ＨＤ５ａの全記録領域に記録させる設定をした場合は、ＨＤ５ａの全記録領域に番組のデータが記録された時に、記録が停止される。
【００３０】
次に、リモコン１３に設けられたお任せ記録キーが押下されると、システムコントローラ１０は、お任せ記録キーの押下を検知して（ステップＳ２）、システムコントローラ１０のチューナ制御手段は、チューナ１をランダムに選局動作させる。これにより、ランダムに選局された或る番組の映像音声信号が、チューナ１から出力され、復調部２で復調され、この後、圧縮処理部４でＭＰＥＧ方式で圧縮される。そして、システムコントローラ１０の記録開始手段は、ＨＤＤ５を駆動させ、ＨＤ５ａに前記圧縮された映像音声データ（ランダムに選んだ番組）を記録開始させる（ステップＳ３）。なお、ランダムに番組を選んで記録する処理は、ランダムにチャンネルを選び、選ばれたチャンネルの番組を指定時間だけ、あるいはＨＤ５ａの未記録領域が無くなるまで、ＨＤ５ａに番組を記録させることである。
【００３１】
このようにしてランダムに選んだ番組がＨＤ５ａに記録されて行き、ステップＳ１で設定された記録終了条件が成立したとき（ステップＳ４）、例えば、指定時間を３０時間に設定した場合、記録開始から３０時間経過した時に、または、指定時間を設定せずに、ＨＤ５ａの全記録領域に記録させる設定をした場合は、ＨＤ５ａの全記録領域に番組のデータが記録された時に、システムコントローラ１０の記録停止手段は、ＨＤＤ５の駆動を停止させ、前記圧縮された映像音声データ（ランダムに選んだ番組）のＨＤ５ａへの記録を停止させる（ステップＳ５）。
【００３２】
次に、システムコントローラ１０の番組名解析手段は、前記記録が停止された後、サーバＢにおける番組表サイトにアクセスして（ステップＳ６）、番組表から前記記録したテレビ放送番組の番組名を解析する（ステップＳ７）。即ち、ハードディスク装置ＡからサーバＢにおける番組表サイトをアクセスすれば、その番組表サイトに示される番組表には、各番組の放送日時とチャンネル番号と番組名などの各情報が含まれているので、ハードディスク装置Ａで記録された当該テレビ放送番組に関する放送日時（録画日時）とチャンネル番号とを、サーバＢにおける番組表サイトにアクセスして、番組表の放送日時とチャンネル番号とが一致した番組名を番組表から検索すれば、ハードディスク装置Ａで記録された当該テレビ放送番組の番組名を得ることができる。
【００３３】
この後、システムコントローラ１０の視聴率解析手段は、サーバＢにおける視聴率サイトにアクセスして（ステップＳ８）、当該テレビ放送番組の視聴率を解析する（ステップＳ９）。即ち、視聴率サイトには、番組名に対応する視聴率などが示されるので、ステップＳ７で得られた番組名に対応する視聴率を検索することにより、当該テレビ放送番組の視聴率を得ることができる。次に、システムコントローラ１０の検索ヒット数取得手段は、当該テレビ放送番組に関する固有名詞の文字を前記視聴率サイトよりＧｏｏｇｌｅ（登録商標）などで検索して（ステップＳ１０）、その固有名詞の文字に対する検索ヒット数を取得する（ステップＳ１１）。
【００３４】
この後、システムコントローラ２２の興味時刻解析手段は、サーバＢにおける掲示板やＢＬＯＧなどの番組評価サイトにアクセスして（ステップＳ１２）、前記固有名詞の文字に対する書込み増加量と、増加した書込み時の時刻（時間帯）とを取得し、視聴者が興味を覚えた興味時刻（時間帯）を解析する（ステップＳ１３）。即ち、当該テレビ放送番組に関する掲示板やＢＬＯＧなどをＲＳＳ（ＲＤＦ  Ｓｉｔｅ  Ｓｕｍｍａｒｙ）の取得により調べることによって、掲示板やＢＬＯＧなどに書き込まれた当該テレビ放送番組に関する固有名詞の文字の書込み増加量と、この増加した書込み時の時刻とが分かり、これにより、書込みが増加した時の時刻が、多くの視聴者が最も興味を覚えた時刻（興味時刻）になる。なお、ＲＳＳとは、Ｗｅｂサイトの見出しやリンク、要約などを記述することができる書式のことを言う。
【００３５】
次に、システムコントローラ１０の再生時間算出手段は、前記記録開始から前記興味時刻になるまでの時間を再生時の再生時間として算出する（ステップＳ１４）。このような再生時間を算出しておくと、ＨＤ５ａに記録されたテレビ放送番組を再生するときに、興味内容のあるシーンを早く探して再生したい場合、タイムサーチで、この再生時間を設定すれば、目的とするシーンの辺りを再生することが可能になる。
【００３６】
次に、システムコントローラ１０のプレイリスト記録手段は、当該テレビ放送番組の番組名と視聴率と興味時刻と再生時刻と興味内容とをプレイリストに加えて、ＨＤＤ５を介してＨＤ５ａに記録させる（ステップＳ１５）。即ち、プレイリストには、当該テレビ放送番組の番組名と視聴率と興味時刻と再生時間と興味内容とが加えられる。興味時刻は、当該テレビ放送番組に関する固有名詞の文字の掲示板やＢＬＯＧへの書込みが増加した時の時刻であり、つまり視聴者が瞬間的に最も関心が大きくなった時の時刻であるので、この興味時刻での当該テレビ放送番組に関する固有名詞の文字を興味内容とすれば、多くの視聴者が、どの瞬間に何の事で関心があったかを知ることが可能になる。なお、興味時刻や再生時間が特に必要としない場合には、興味時刻や再生時間はプレイリストに加えなくても良い。前記ＢＬＯＧとは、日記的なＷｅｂサイトの総称で、Ｗｅｂ  Ｌｏｇとも呼ばれ、ＷｅｂとＬｏｇとの合成語であり、メモや記事などに見出しと日付を付けて時系列で書き込みができるホームページのことである。
【００３７】
図３は図２に示す処理によって作成されたプレイリストの一例を示す図である。図３に示すようにプレイリストには、タイトルＮｏ．と番組名とチャンネルと視聴率と興味時刻と再生時間と興味内容と録画日とが表示されている。タイトルＮｏ．は、録画（記録）された番組のタイトル番号を示す。番組名は、録画したテレビ放送番組の番組名を示す。視聴率は、当該番組の視聴率（％）を示す。興味時刻は、当該番組が放送されているときに視聴者が最も興味を覚えた時刻を示す。再生時間は、記録が開始されてから興味時刻になるまでの時間であり、この時間を再生時の再生時間としたものである。興味内容は、当該番組中で最も興味を覚えた内容を示し、当該番組中で、どの瞬間に視聴者の関心が大きかったかを示す内容である。視聴者の関心が大きくなった瞬間の時刻は、興味時刻に相当する。録画日は、当該番組が録画された年月日を示す。即ち、録画日は、当該番組のデータがＨＤ５ａに記録された年月日を示す。
【００３８】
図３に示すプレイリストにおいて、例えば、番組名「プロ野球Ａ」は、チャンネルの番号「６」、視聴率が「３８」、興味時刻が「２１：３５」、再生時間「０２：３５」、興味内容が「Ｍ選手ホームラン」、録画日が「０６／０３／２８」であることを示している。即ち、プロ野球Ａは、２００６年３月２８日に録画されたもので、視聴率が３８％、Ｍ選手がホームランを打った時が、視聴者が最も興味を覚えたことであることが分かり、その時刻が２１時３５分であることを示している。多くの視聴者がプロ野球Ａを視聴している時に、Ｍ選手がホームランを打ったことが最も関心があるので、サーバＢの掲示板に、例えば、「Ｍ選手がホームランを打った」と言うメッセージが書き込まれ、この書き込まれた時刻が２１時３５分になり、この時刻が興味時刻に相当することになる。再生時間は、このプロ野球Ａが１９時から放送開始され（記録開始され）、興味時刻になるまでの時間が２時間３５分であることを示す。したがって、再生時に、タイムサーチなどで、０２：３５を指定すれば、Ｍ選手がホームランを打った辺りのシーンを再生することができる。
【００３９】
番組名「なつかしのメロディ」は、チャンネルの番号「２」、視聴率が「２７」、興味時刻が「１９：２０」、再生時間「００：２０」、興味内容が「なつかしのメロディ」、録画日が「０６／０３／２５」であることを示している。即ち、なつかしのメロディは、２００６年３月２５日に録画されたもので、視聴率が２７％、歌手ＥがＫソングを歌った時が、視聴者が最も興味を覚えたことであることが分かり、その時刻が１９時２０分であることを示している。多くの視聴者がなつかしのメロディを視聴している時に、歌手ＥがＫソングを歌ったことが最も関心があるので、サーバＢの掲示板に、例えば、「歌手ＥのＫソングに感動した」と言うメッセージが書き込まれ、この書き込まれた時刻が１９時２０分になり、この時刻が興味時刻に相当することになる。再生時間は、このなつかしのメロディが１９時から放送開始され（記録開始され）、興味時刻になるまでの時間が２０分であることを示す。したがって、再生時に、タイムサーチなどで、００：２０を指定すれば、歌手ＥがＫソングを歌った辺りのシーンを再生することができる。
【００４０】
番組名「大相撲」は、チャンネルの番号「２」、視聴率が「３２」、興味時刻が「１７：４４」、再生時間「０２：４４」、興味内容が「優勝決定」、録画日が「０６／０３／２３」であることを示している。即ち、大相撲は、２００６年３月２３日に録画されたもので、視聴率が３２％、優勝が決定した時が、視聴者が最も興味を覚えたことであることが分かり、その時刻が１７時４４分であることを示している。多くの視聴者が大相撲を視聴している時に、優勝が決定したことが最も関心があるので、サーバＢの掲示板に、例えば、「横綱が勝って優勝が決定した」と言うメッセージが書き込まれ、この書き込まれた時刻が１７時４４分になり、この時刻が興味時刻に相当することになる。再生時間は、この大相撲が１５時から放送開始され（記録開始され）、興味時刻になるまでの時間が２時間４４分であることを示す。したがって、再生時に、タイムサーチなどで、０２：４４を指定すれば、優勝が決定した辺りのシーンを再生することができる。
【００４１】
番組名「マジックショー」は、チャンネルの番号「８」、視聴率が「４６」、興味時刻が「２１：１８」、再生時間「００：１８」、興味内容が「コインの瞬間移動」、録画日が「０６／０３／１６」であることを示している。即ち、マジックショーは、２００６年３月１６日に録画されたもので、視聴率が４６％、コインが瞬間移動した時が、視聴者が最も興味を覚えたことであることが分かり、その時刻が２１時１８分であることを示している。多くの視聴者がマジックショーを視聴している時に、コインが瞬間移動したことが最も関心があるので、サーバＢの掲示板に、例えば、「コインの瞬間移動」と言うメッセージが書き込まれ、この書き込まれた時刻が２１時１８分になり、この時刻が興味時刻に相当することになる。再生時間は、このマジックショーが２１時から放送開始され（記録開始され）、興味時刻になるまでの時間が１８分であることを示す。したがって、再生時に、タイムサーチなどで、００：１８を指定すれば、コインが瞬間移動した辺りのシーンを再生することができる。なお、プレイリストにおいて、番組名は視聴率の高いものから順に表示させても良い。
【００４２】
以上説明したように本実施形態によれば、お任せ記録（お任せ録画）によりランダムに選局されたテレビ放送番組がハードディスク装置ＡのＨＤ５ａに記録された後、リモコン１３の再生リストキー（プレイリストキー）が押下されると、ＨＤ５ａからプレイリストが、読み出され、テレビ受信機８のディスプレイ装置８１に表示される。この表示されたプレイリストには、前述したように、テレビ放送番組の番組名、視聴率、興味時刻、再生時間、興味内容などが表示されるので、ユーザは話題性のあるテレビ放送番組をリモコン操作により選んで視聴することができるようになる。
【００４３】
また、その話題性のあるテレビ放送番組で、視聴者が興味のあったシーンの内容を興味内容で知ることができる。また、当該番組の放送中に興味内容に示すようなことが生じた時刻を興味時刻で知ることができ、その興味があったシーンを再生するのに、再生時間を用いてタイムサーチなどを行えば、早く興味内容のシーンを再生することができる。
【産業上の利用可能性】
【００４４】
本発明は、テレビ放送番組を大量に記録できるハードディスク装置（ハードディスクレコーダ）におけるプレイリストに、番組の視聴率や興味内容などを表示させることに利用することができる。
【図面の簡単な説明】
【００４５】
【図１】本発明の一実施形態に係るハードディスク装置の構成を示すブロック図である。
【図２】前記実施形態において話題性のあるテレビ放送番組を視聴者に通知するためのプレイリストの情報を作成するための処理を示すフローチャートである。
【図３】図２に示す処理によって作成されたプレイリストの一例を示す図である。
【符号の説明】
【００４６】
Ａ    ハードディスク装置
Ｂ    サーバ
１    チューナ
５ａ    ＨＤ（ハードディスク）
１０    システムコントローラ（記録終了条件設定手段、チューナ制御手段、記録開始手段、記録停止手段、番組名解析手段、視聴率解析手段、検索ヒット数取得手段、興味時刻解析手段、再生時間算出手段、プレイリスト記録手段）
１６    インターネット
【図１】
2007288391.tif 000003
【図２】
2007288391.tif 000004
【図３】
2007288391.tif 000005